(57)【要約】      （修正有）【課題】極めて単純な構成で管楽器の管内を簡便かつ好適に拭き取り清掃することができる管楽器用掃除具を提供する。【解決手段】拭取り用布状部材１は、錘３が一端に配された紐状部材２が布状部材の生地面に垂直方向に引けるように紐状部材の垂直方向の縫着部４で縫着されている。紐状部材２は、管楽器の開口部から管内に錘３によって落とし込まれて、必要により管楽器本体を回転させるなどして管楽器管内の屈曲部位を通り抜けて吹込管を経て、他の開口部より引き出されて、これを手でゆっくり引いていくことで拭取り用布状部材１を管内所定の箇所まで引き摺っていくことで管内所定の箇所までの内壁部等に付着した、或いは溜まった水分などを吸収させて除去する。【選択図】図１
2015026037.tif 000002
【特許請求の範囲】
【請求項１】
拭取り用布状部材に縫着した紐状部材を引いて管楽器管内を拭き取る管楽器用掃除具であって、
拭取り用布状部材の生地面上に面に対して垂直方向に引くことが可能な紐状部材が縫着されていることを特徴とする管楽器用掃除具
【請求項２】
生地端部に生地を水平方向に引くための紐状部材がさらに縫着されていることを特徴とする請求項１の管楽器用掃除具
【発明の詳細な説明】
【技術分野】
【０００１】  本発明は、管楽器用の管内拭き取り清掃用の掃除具に関する。
【背景技術】
【０００２】  金管楽器、木管楽器は、呼気を吹き込み音を鳴らすため、呼気の水分や唾液が管内に付着し、又は管内窪部などに当該水分などが溜まったりして、音響上の支障や臭いや汚れの原因となるため、演奏家はスワブといわれる布状の掃除具を用いて管内を拭き取り清掃している。【０００３】  管楽器用の管内拭き取り清掃用の掃除具は、水分を拭き取り吸収する布状部材（以下、スワブという。）に紐状部材（以下、スワブガイドという。）が縫着されており、スワブから延びるスワブガイドの端部に付けられた錘を管内一端から落し込み、他端からスワブガイドを引き出して、手でスワブガイドを引いてスワブで管楽器管内を拭き取るものである（例えば、特許文献１、特許文献２参照）。【０００４】  上記の操作は極めて単純ながら、管楽器の多くは管径が一定でなく、また湾曲部も多いため、より効率的に管楽器管内を拭き取り清掃するために、スワブの生地形状や、スワブへのスワブガイドの縫着位置等について工夫がなされ、特許文献３乃至特許文献７の特許関連文献等で知られている。
【特許文献】
【０００５】
【特許文献１】  実開昭６１−１２４０９９号公報
【特許文献２】  実開平０２−１４９９９５号公報
【特許文献３】  特開平０９−５０２７７号公報
【特許文献４】  実登３１０５３４９号公報
【特許文献５】  実登３１０５３５０号公報
【特許文献６】  特開２０００−１１２４６１号公報
【特許文献７】  特開２０１１−４３６５９号公報
【０００６】  さらに、複雑なスワブ及びスワブガイド形状としながらも、管楽器管内への密着性と操作容易性を追求した特殊な清掃具として、特許文献８、特許文献９等も知られている。
【特許文献８】  特開平０７−３０６６７４号公報
【特許文献９】  特開２００３−３４５３４７号公報
【発明の概要】
【発明が解決しようとする課題】
【０００７】  管楽器用の管内拭き取り清掃用の掃除具に関するこれら公知技術では、スワブガイドで引き出すスワブの管楽器管内の管径の太い箇所での拭取り性を向上するために、スワブ自体も生地面積が大きなものとされ、スワブの引き抜き抵抗が増大したり、より細い管径箇所でスワブ詰りを引き起こしたりするものであった。【０００８】  さらに、スワブの拭取り性を上げるために、各種のスワブ形状やスワブガイドの取付け位置の改善がなされているが、そのいずれもがスワブの生地端部にスワブガイド（紐状部材）が縫着されているため、スワブの引き抜きはスワブ生地平面に平行の方向となり、スワブ生地の管内での形状が単純な引張り皺状に折り畳まれた略紐状となってしまうことと、屈曲部位などではスワブガイドに引き摺られてより曲率半径が小さい側の内壁のみを拭き取り、曲率半径の大きな側の内壁にはうまく接触しないという問題があった。
【課題を解決する手段】
【０００９】  本願発明者らは、前記の公知技術による管楽器用の管内拭き取り清掃用の掃除具について、とりわけスワブガイドによりスワブを引っ張る構造について鋭意研究を重ねたうえで、公知技術にはない技術的な思想を創造するに至り本願発明の具体化に成功した。
【００１０】  スワブが管内でより効率的に内壁を拭き取るためには、管断面で見たスワブの広がりが重要となるところ、従来技術では、スワブ端部にスワブガイドを縫着しているために、スワブガイドを引けば引くほど、スワブは伸ばされより管内壁との抵抗が小さな形状になっていくことが分かった。これは、管楽器の開口部にスワブを入れるときにいかにスワブを複雑な折り畳み形状にして挿入しても、スワブとスワブガイドの引張り方向が同一の平面状にある限り、より抵抗が小さな流れ形状にスワブの皺形状が変化していくのである。
【００１１】  より抵抗が少ない皺形状に変化することは、すなわち管内壁の接触性が低下するということであり、内壁をくまなく拭き取る目的に適わなくなるものである。当然にスワブ形状をより面積の大きなものにしても、スワブガイドに同一平面方向に引き摺られて、より接触面積の小さな、接触抵抗の小さなスワブ皺形状になってしまう。
【００１２】  本願発明者らは、この問題に対して、スワブの生地面に対して垂直方向にスワブガイドを引けるようにして、スワブガイドに引かれることでスワブが略円錐形状（バドミントンのシャトルコックの如くの形状）になり、これが管楽器管内で持続することを見出した。またこの効果は生地の形状や大きさによらず、スワブガイドを強く引いても管内で略円錐形状でスワブが引きずられていくことも確認された。
【００１３】  これにより、より小さな面積のスワブで、特許文献８、特許文献９の如くの特殊な複雑形状によらないより簡素な構成のスワブで、極めて効率的に管楽器管内の水分を拭き取り清掃することができた。
【００１４】  また、管径の細い部分を拭き取るために、スワブ生地面を垂直方向に引くスワブガイドとは別に、あえて略円錐形状とならないようにスワブ端部（望ましくは角部）に別のスワブガイドをさらに縫着して、その部分を用いて細い管径を拭き取ることができる。
【００１５】  さらに、スワブ生地面を垂直方向に引くスワブガイドと、水平方向に引くスワブ端部に取り付けたスワブガイドとの、それぞれの端（錘が取り付けられた紐端部）の間を所定の長さとなるようにすることで、既存技術によるスワブと同様に一方のスワブガイドを管楽器管内を貫通させて引き出し、スワブを往復させて管内をより入念に拭き取り清掃することができて好適である（特許文献１、特許文献２参照）。
【００１６】  すなわち、本願請求項１の発明は、拭取り用布状部材に縫着した紐状部材を引いて管楽器管内を拭き取る管楽器用掃除具であって、拭取り用布状部材の生地面上に面に対して垂直方向に引くことが可能な紐状部材が縫着されていることを特徴とするものである。
【００１７】  また、本願請求項２の発明は、請求項１の発明の管楽器用清掃具に、さらに生地端部に生地を水平方向に引くための紐状部材が縫着されていることを特徴とするものである。
【発明の効果】
【００１８】  本願発明により、従来の管楽器管内を拭き取る管楽器用掃除具に比べて構成を特段複雑な形状とすることなく、より小さな面積と単純な形状の布状部材（スワブ）で効率的に管内を拭き取ることができ、かつ布状部材はハンカチの如くコンパクトに折り畳み可能であって、管楽器奏者らの日常的な管楽器の管内清掃の利便性を著しく向上することができる。
【図面の簡単な説明】
【００１９】
【図１】本願発明の管楽器用掃除具の概観図
【図２】本願発明の管楽器用掃除具の紐状部材を引き上げた状態（Ａ）と、従来例の管楽器用掃除具の紐状部材を引き上げた状態（Ｂ）を示す説明図
【発明を実施するための最良の形態】
【００２０】  図１は、本願発明の管楽器用掃除具の実施形態の概観を示したものである。図２は、左図（Ａ）が本願発明の管楽器用掃除具の紐状部材を引き上げた状態を、右図（Ｂ）が従来例の管楽器用掃除具の紐状部材を引き上げた状態を示した説明図である。【００２１】  拭取り用布状部材１は、錘３が一端に配された紐状部材２が布状部材の生地面に垂直方向に引けるように紐状部材の垂直方向の縫着部４で縫着されている。本願請求項１の管楽器用掃除具は、これらの構成からなる極めて単純な掃除具である。【００２２】  紐状部材２は、管楽器の開口部（ベル側の開口部）から管内に錘３によって落とし込まれて、必要により管楽器本体を回転させるなどして管楽器管内の屈曲部位を通り抜けて吹込管を経て、他の開口部（歌口（マウスピース等）側の開口部）より引き出されて、これを手でゆっくり引いていくことで拭取り用布状部材１を管内所定の箇所まで引き摺っていくことで管内所定の箇所までの内壁部等に付着した、或いは溜まった水分などを吸収させて除去する。【００２３】  当然、管楽器の種類によって管体部分品の構成や分解部位が異なるため、上述のような説明に限定せず、管体部分品のより太い管径開口部から紐状部材２を差し込んで、より細い管径開口部にむけて拭取り用布状部材１を引いていくこととなる。【００２４】  本願発明の管楽器用掃除具は、図２（Ａ）の如く紐状部材２で引いた場合に、拭取り用布状部材１が略円錐形状（バドミントンのシャトルコックの如くの形状）になり管内内壁のより広範な範囲に接触のうえ水分等を拭き取り吸収することができる。一方、従来例の管楽器用掃除具は拭取り用布状部材１の生地面と並行する方向で引かれていくため、図２（Ｂ）の如く拭取り用布状部材１はより細い形状で管内を引き摺られていくものとなる。【００２５】  一方で、マウスピース差込部位や吹込管部位、金管楽器の抜差管部位は、細くかつ屈曲することもあるので、本願請求項２の発明により拭取り用布状部材１に、あえて紐状部材の水平方向の縫着部５で縫着された紐状部材５の側を利用して、拭取り用布状部材１より細く差し込むことでそうした部位の清掃を行うことができる。【００２６】  拭取り用布状部材１は、図２（Ａ）の如く拭取り用布状部材１が略円錐形状となり管楽器管内の内壁を十分に拭き取りことができるうえでは、任意の形状及び大きさ、生地厚さであってよい。材質としては吸水性の高い繊維品（例えばマイクロファイバー品等）或いは不織布（例えばレーヨン不織布等）であることが望ましい。また吸水性が高くシート状に形成できる多孔質のスポンジ材料であってもよい。いずれの材質であっても、管楽器の内壁に擦過痕を与える性質の強いものは避ける必要がある。【００２７】  拭取り用布状部材１の生地面に垂直方向に引けるように紐状部材２が垂直方向の縫着する縫着部４の構成は、拭取り用布状部材１を紐状部材２で強く引いたとき容易にとれてしまわない縫着方法であれば任意の方法によることができる。図１の概観図の実施の態様では縫着を想定し、取り付ける紐状部材２の端部の拭取り用布状部材１への当接部分が断面で逆Ｔ字になるような補助部材を紐状部材２に縫合したうえで、拭取り用布状部材１に縫合してい��。【００２８】  また、紐状部材２が垂直方向の縫着する縫着部４は、さらなる補強のため紐状部材２の当接部位の拭取り用布状部材１の裏面側に縫合補強用の補助部材を同時に配してもよい。その時は、図２（Ａ）の如く紐状部材３で引いた場合に、例えば略円形かつ多少弾性のある補助部材であれば拭取り用布状部材１が略円錐形状になることを補助する効果も期待できる。【００２９】  その他、拭取り用布状部材１と紐状部材２の縫着によらず、接着や融着などその他の結合方法であっても、紐状部材２を取り付ける目的を達する方法によることは任意の事項であり、結合方法のいずれによるときも本願発明に包含されるものである。【００３０】  また、前記の特許文献４の如く、複数の拭取り用布状部材１をそれぞれ紐状部材２で垂直方向に縫着して結合することも同様に任意に選択することができるが、紐状部材２で引いた場合に、拭取り用布状部材１が略円錐形状（バドミントンのシャトルコックの如くの形状）になることを期す限りは本願発明の範囲に含まれるものである。【００３１】  上述のように、本願発明の管楽器用掃除具は、その構成が単純であるために種々の新たな構成を加味することが可能ではあるが、拭取り用布状部材の生地面上に面に対して垂直方向に引くことが可能な紐状部材を縫着するという従来品や高知技術にない管楽器用掃除具の構成を基礎とするかぎり本願発明の部分利用に過ぎないことはいうまでもない。
【産業上の利用可能性】
【００３２】  本願発明の管楽器用掃除具によれば、極めて単純な構成で管楽器の管内を簡便かつ好適に拭き取り清掃することができるため、管楽器用の日々のメンテナンス用品としての演奏家らの需要に応えることができる。
【符号の説明】
【００３３】１  拭取り用布状部材（スワブ）
２  紐状部材（スワブガイド）
３  錘
４  紐状部材の垂直方向の縫着部
５  紐状部材の水平方向の縫着部
【図１】
2015026037.tif 000003
【図２】
2015026037.tif 000004